(57)【要約】【課題】マグネットを介し、磁着可能な素材からなる、例えば鉄製の玄関ドア、電気製品又は家具等に磁着させてキーホルダーの置き場所の失念を防止できる、キーホルダーの提供。【解決手段】表面板１、裏面板２、マグネット３、キーリング４及びネーム表示板５からなる、キーホルダー１００であって、表面板１の一端部に掛止部２ｂを装着するための貫通穴１ｂを穿設すると共に、表面板１のほぼ中央には矩形状の開口部１ｃを形成し、裏面板２の上面の一端部２ａに掛止部２ｂを凸設し、裏面板２の上面ほぼ中央部にはネーム表示板５を収納するための収納部２ｄを形成すると共に、底部にはマグネット３を装着するための有底の嵌合部２ｆを形成してなる。【選択図】図１
0003165042.tif 000002
【実用新案登録請求の範囲】
【請求項１】
表面板、裏面板、マグネット、キーリング及びネーム表示板からなる、キーホルダーであって、
前記表面板の一端部にキーリング掛止部を装着するための貫通穴を穿設すると共に、当該表面板のほぼ中央には矩形状の開口部を形成し、
前記裏面板の上面の一端部にキーリング掛止部を凸設し、当該裏面板の上面ほぼ中央部にはネーム表示板を収納するための収納部を形成すると共に、底部にはマグネットを装着するための有底のマグネット嵌合部を形成してなる、
ことを特徴とするキーホルダー。
【請求項２】
前記マグネット嵌合部は、前記裏面板の長手方向中心線から前記キーリング掛止部寄りに形成されると共に、前記裏面板の底面と当該マグネット嵌合部との底面間には段差が形成されている、
ことを特徴とするキーホルダー。
【請求項３】
前記マグネット嵌合部の底面周縁部は、曲面状としている、
ことを特徴とするキーホルダー。
【請求項４】
前記表面板及び裏面板は、硬質樹脂材又は発光剤もしくは蓄光剤を混入した硬質樹脂材でそれぞれ一体的に成型されると共に、表面板と裏面板は、同色又は異色とされている、
ことを特徴とするキーホルダー。
【請求項５】
前記硬質樹脂材で成型された表面板の上面及び／又は裏面板の下面には、発光塗料もしくは蓄光塗料が塗布されている、
ことを特徴とするキーホルダー。
【考案の詳細な説明】
【技術分野】
【０００１】  本考案は、キーホルダーに関し、より詳しくは、マグネットを介し、磁着可能な素材からなる、例えば、鉄製の玄関ドア、電気製品又は家具等に磁着させてキーホルダーの置き場所を忘れたりすることを防止し、かつ使い勝手の良いキーホルダーに関する。
【背景技術】
【０００２】  一般的に住居等における玄関キー等の各種キーは、キーリングを介してキーホルダーに取り付けられており、キーの不使用時は、バッグに収納されたり、テーブル等に置かれたり、又は電気製品や家具、例えば冷蔵庫等の側壁に止着されたフック等に掛支、保管されている。【０００３】  しかしながら、バッグから取り出されたり、テーブル等に放置されたキーホルダーは、日用品や色々な書類や伝票等で隠蔽されたり、紛れてしまい、外出時等にキーが必要となったときに、どこにあるのか判らなくなるという問題点がある。またフック等に掛支されたキーホルダーの着脱によるキーの先端部は、フック等の装着対象物である、冷蔵庫等の側壁や家具等の表面を擦傷するという不具合を惹起している。【０００４】  上記の問題点等を解消するための特許文献１（第１頁、図１参照）が開示されている。特許文献１の課題は、鍵を置いた場所が直ぐに判るようにできるキーホルダーを提供することとし、その解決手段は、プレート部と、プレート部に取り付けられた鍵取付部からなり、プレート部に磁石を取り付けて家具や電器製品等の金属部分に磁着可能とした、ことを特徴としている。【０００５】  しかし、特許文献１において、キーは、プレート部に取り付けられた鍵取付部に下方に向けて掛支されるので、キーの先端部等は、磁着対象物である家具や電器製品等の表面を擦傷するという不具合を解消することはできていない。
【先行技術文献】
【特許文献】
【０００６】
【特許文献１】特開２００２−２８０６６号公報
【考案の概要】
【考案が解決しようとする課題】
【０００７】（１）本考案が解決しようとする第１の課題は、マグネットを介し、磁着可能な素材からなる、例えば、鉄製の玄関ドア、電気製品又は家具等に磁着させてキーホルダーの置き場所を忘れたりすることを防止できる、キーホルダーを提供することである。
（２）第２の課題は、磁着した鉄製の玄関ドア、電気製品又は家具等の当接表面部が、キーホルダーの着脱による擦傷を防ぎ、また使い勝手の良いキーホルダーを提供することである。
（３）第３の課題は、構造を簡単、かつ製作コストを安価とし、多種類の商品展開が可能なキーホルダーを提供することである。
【課題を解決するための手段】
【０００８】  本願考案者は、上記の従来技術が有する各種問題点に鑑み鋭意検討を重ね、課題を解決するために、当該業界では想到不可能な解決手段を完成したものである。
課題を解決するための手段は、本願、実用新案登録請求の範囲の各請求項に記載の考案であり、その具体的な解決手段は、以下の通りである。【０００９】  課題を解決するための第１の考案は、請求項１に記載の考案であり、
表面板、裏面板、マグネット、キーリング及びネーム表示板からなる、キーホルダーであって、
前記表面板の一端部にキーリング掛止部を装着するための貫通穴を穿設すると共に、当該表面板のほぼ中央には矩形状の開口部を形成し、前記裏面板の上面の一端部にキーリング掛止部を凸設し、当該裏面板の上面ほぼ中央部にはネーム表示板を収納するための収納部を形成すると共に、底部にはマグネットを装着するための有底のマグネット嵌合部を形成してなる、
ことを特徴としている。【００１０】  課題を解決するための第２の考案は、請求項２に記載の考案であり、
前記マグネット嵌合部は、前記裏面板の長手方向中心線から前記キーリング掛止部寄りに形成されると共に、前記裏面板の底面と当該マグネット嵌合部との底面間には段差が形成されている、
ことを特徴としている。【００１１】  課題を解決するための第３の考案は、請求項３に記載の考案であり、
前記マグネット嵌合部の底面周縁部は、曲面状としている、
ことを特徴としている。【００１２】  課題を解決するための第４の考案は、請求項４に記載の考案であり、
前記表面板及び裏面板は、硬質樹脂材又は発光剤もしくは蓄光剤を混入した硬質樹脂材でそれぞれ一体的に成型されると共に、表面板と裏面板は、同色又は異色とされている、
ことを特徴としている。【００１３】  課題を解決するための第５の考案は、請求項５に記載の考案であり、
前記硬質樹脂材で成型された表面板の上面及び／又は裏面板の下面には、発光塗料もしくは蓄光塗料が塗布されている、
ことを特徴としている。
【考案の効果】
【００１４】  本考案に係る、キーホルダーは、上記のような特徴的構成要件から構成され、
特徴的構成要件に応じた、以下のような本考案特有の効果を奏する。また、上記のような特徴的構成要件から構成されたキーホルダーによれば、本願考案の課題を十分に解決することができた。すなわち、
第１の考案によれば、「表面板、裏面板、マグネット、キーリング及びネーム表示板からなる、キーホルダーであって、前記表面板の一端部にキーリング掛止部を装着するための貫通穴を穿設すると共に、当該表面板のほぼ中央には矩形状の開口部を形成し、前記裏面板の上面の一端部にキーリング掛止部を凸設し、当該裏面板の上面ほぼ中央部にはネーム表示板を収納するための収納部を形成すると共に、底部にはマグネットを装着するための有底のマグネット嵌合部を形成してなる」という、特徴的な構成要件により、
マグネットを介し、磁着可能な素材からなる、例えば、鉄製の玄関ドア、電気製品又は家具等に磁着させてキーホルダーの置き場所を忘れたりすることを防止できる、キーホルダーの提供という、第１の課題を解決することができた。すなわち、キーを使用した後にキーホルダーの置き場所（掛止場所）を、例えば、玄関ドアの屋内側に特定しておけば、外出時にあわててキーホルダーを捜すという手間を省くことができる。また自転車前輪用のキーを、キーホルダーに取り付けた場合、キーホルダーは、マグネットにより自転車のフレーム等に磁着するので、キーホルダーが車輪に巻き込まれるのを防止し、自転車を安全に走行することができる。【００１５】  第２の考案によれば、「前記マグネット嵌合部は、前記裏面板の長手方向中心線から前記キーリング掛止部寄りに形成されると共に、前記裏面板の底面と当該マグネット嵌合部との底面間には段差が形成されている」という、特徴的な構成要件により、
また、第３の考案によれば、「前記マグネット嵌合部の底面周縁部は、曲面状としている」という、特徴的な構成要件により、
磁着した玄関ドア、電気製品又は家具等の当接表面部は、キーホルダーの着脱による擦傷がなく、また使い勝手の良いキーホルダーの提供という、第２の課題を解決することができた。すなわち、キーホルダーを磁着対象物（例えば、鉄製玄関ドア等）から離脱するとき、キーリング掛止部の頂部を親指等で対象物に向けて軽く押圧すれば、マグネット嵌合部が支点となり、てこの原理で他端部は浮上し、裏面板の底面とマグネット嵌合部との底面間の段差はさらに大きくなって空間が形成されるので、この空間にひと差し指又は中指等を差し込んで上方に引き上げれば、キーホルダーを磁着対象物から容易に離脱することができる。【００１６】  第４の考案によれば、「前記表面板及び裏面板は、硬質樹脂材又は発光剤もしくは蓄光剤を混入した硬質樹脂材でそれぞれ一体的に成型されると共に、表面板と裏面板は、同色又は異色とされている」という、特徴的な構成要件により、
また第５の考案によれば、「前記硬質樹脂材で成型された表面板の上面及び／又は裏面板の下面には、発光塗料もしくは蓄光塗料が塗布されている」という、特徴的な構成要件により、
構造を簡単、かつ製作コストを安価とし、多種類の商品展開が可能なキーホルダーの提供という、第３の課題を解決することができた。すなわち、本考案に係る、キーホルダーの主な構成部材は、表面板、裏面板、マグネット、キーリング及びネーム表示板という、比較的簡単な構造であり、表面板及び裏面板は、硬質樹脂材又は発光剤もしくは蓄光剤を混入した硬質樹脂材でそれぞれ一体的に成型されるので大量生産が可能であり、また表裏板が別々の形状とされており、組立時に表面板から裏面板が視認可能としているので組み立て作業が容易であり、さらに表面板と裏面板は、同色又は異色としているので、多種類の組み合わせが可能であるから、ファッション性豊かな商品展開を行うことができる。さらに例えば、夜間、屋外における暗所等において、バッグ内のキーホルダーを容易に取り出すことができる。また消灯された室内等において、キーホルダーの発見も容易である。
【図面の簡単な説明】
【００１７】
【図１】は、本考案に係る、キーホルダーの構成部材を分離して示す分解斜視図である。
【図２】は、キーリングをキーホルダーに掛止前の構成部材を組み立てた状態の縦断面図である。
【図３】は、図２における３−３線断面図である。
【図４】は、図２における４−４線断面図である。
【図５】は、本考案に係る、キーホルダーの使用状態を示す側断面図である。
【図６】は、同上、作動態様を説明する側断面図である。
【００１８】  以下、本考案に係る、キーホルダーの一実施形態について、図面を参照して詳細に説明する。図１及び図２に示すように、本考案のキーホルダー１００は、表面板１、裏面板２、マグネット３、キーリング４及びネーム表示板５から構成されている。表面板１の一端部１ａには、キーリング４を挿通し掛止するための裏面板２の上面の一端部２ａに凸設されたキーリング掛止部２ｂを装着するための貫通穴１ｂが穿設されている。また表面板１のほぼ中央には矩形状の開口部１ｃが形成されている。さらに表面板１の下面周縁部は、テーパ面１ｄが形成され、表面板１の他端部寄りの左右には切欠部１ｅが設けられている。裏面板２の上面の一端部２ａには、半球状のキーリング掛止部（以下、掛止部２ｂとい）が凸設され、キーリング４を挿通し掛止する貫通孔２ｃが穿設されている。２ｄは、裏面板２の上面ほぼ中央部に周枠２ｅを立設してなるネーム表示板５を収納する収納部である。２ｆは、マグネット３を装着するためのマグネット嵌合部（以下、嵌合部２ｆという）で、有底としている。図２に示すように、嵌合部２ｆは、裏面板２の長手方向中心線Ｃから掛止部２ｂ寄りに形成されている。また裏面板２の底面と嵌合部２ｆとの底面間には段差ｔ１が形成されており、さらに嵌合部２ｆの底面周縁部は、曲面状２ｈとされている。また裏面板２の外周縁は内向きのテーパ面２ｉが形成され、他端部寄り左右には張り出し部２ｊが延設されている。キーリング４は鋼線を円形状に曲成して製作されている。またネーム表示板５は、ネームシート５ａと硬質樹脂シート５ｂからなっている。【００１９】  図２〜図４は、ホルダー１００を組み立てた状態を示し、その組立作業について説明する。まずマグネット３を裏面板２の嵌合部２ｆ内に嵌合する。次にネームシート５ａと硬質樹脂シート５ｂを収納部２ｄに収納し、続いて裏面板２の掛止部２ｂに表面板１の貫通穴１ｂを当接すると共に、表面板１の切欠部１ｅ、１ｅを裏面板２の張り出し部２ｊ、２ｊに当接した後、表面板１全体を裏面板２にほぼ均等の力で押しつければ、掛止部２ｂは貫通穴１ｂに装着され、表面板１のテーパ面１ｄは、裏面板２のテーパ面２ｉに係合し、張り出し部２ｊ、２ｊは、切欠部１ｅ、１ｅに係止され、表面板１と裏面板２の接合、組立作業は完了する。なお、掛止部２ｂの外径寸法と貫通穴１ｂの内径寸法は、ほぼ同寸としている。またネーム表示板５は、表面板１の開口部１ｃの周縁部１ｆによって固定される（図２、参照）。【００２０】  図５及び図６は、ホルダー１００を鉄製玄関ドアＤに取り付けた状態を図示している。図５に示すように、ホルダー１００は、マグネット３の磁力によって玄関ドアＤの内側に垂直状に磁着している。Ｋはキーで、キーリング４を介して表面板１の上面に保持され、玄関ドアＤの表面には当接することがない。またマグネット３は、有底の嵌合部２ｆに嵌合されているので、玄関ドアＤの表面に直接に接触しない。【００２１】  図６は、ホルダー１００を玄関ドアＤから離脱する状態を示している。例えば、ホルダー１００を玄関ドアＤから離脱するとき、掛止部２ｂの頂部を親指等により矢印で示すように玄関ドアＤに向けて軽く押圧Ｐすれば、嵌合部２ｆが支点とな���、てこの原理で他端部は浮上し、裏面板２の底面と嵌合部２ｆとの底面間の段差ｔ１はさらに大きくなって空間ｔ２が形成されるので、この空間ｔ２にひと差し指又は中指等を差し込んで上方に引き上げれば、ホルダー１００を玄関ドアＤから容易に離脱することができる。
【符号の説明】
【００２１】１００    ホルダー
１        表面板
２        裏面板
３        マグネット
４        キーリング
５        ネーム表示板
１ａ      一端部
１ｂ      貫通穴
１ｃ      開口部
１ｄ      テーパ面
１ｅ      切欠部
２ａ      上面の一端部
２ｂ      掛止部
２ｃ      貫通孔
２ｄ      収納部
２ｅ      周枠
２ｆ      嵌合部
２ｈ      曲面状
２ｉ      テーパ面
２ｊ      張り出し部
Ｃ        中心線
ｔ１      段差
ｔ２      空間
【図１】
0003165042.tif 000003
【図２】
0003165042.tif 000004
【図３】
0003165042.tif 000005
【図４】
0003165042.tif 000006
【図５】
0003165042.tif 000007
【図６】
0003165042.tif 000008
【手続補正書】
【提出日】平成22年10月4日(2010.10.4)
【手続補正１】
【補正対象書類名】実用新案登録請求の範囲
【補正対象項目名】全文
【補正方法】変更
【補正の内容】
【実用新案登録請求の範囲】
【請求項１】
表面板、裏面板、マグネット、キーリング及びネーム表示板からなる、キーホルダーであって、
前記表面板の一端部にキーリング掛止部を装着するための貫通穴を穿設すると共に、当該表面板のほぼ中央には矩形状の開口部を形成し、
前記裏面板の上面の一端部にキーリング掛止部を凸設し、当該裏面板の上面ほぼ中央部にはネーム表示板を収納するための収納部を形成すると共に、底部にはマグネットを装着するための有底のマグネット嵌合部を形成してなる、
ことを特徴とするキーホルダー。
【請求項２】
前記マグネット嵌合部は、前記裏面板の長手方向中心線から前記キーリング掛止部寄りに形成されると共に、前記裏面板の底面と当該マグネット嵌合部との底面間には段差が形成されている、
ことを特徴とする請求項１記載のキーホルダー。
【請求項３】
前記マグネット嵌合部の底面周縁部は、曲面状としている、
ことを特徴とする請求項１〜請求項２の何れかに記載のキーホルダー。
【請求項４】
前記表面板及び裏面板は、硬質樹脂材又は発光剤もしくは蓄光剤を混入した硬質樹脂材でそれぞれ一体的に成型されると共に、表面板と裏面板は、同色又は異色とされている、
ことを特徴とする請求項１〜請求項３の何れかに記載のキーホルダー。
【請求項５】
前記硬質樹脂材で成型された表面板の上面及び／又は裏面板の下面には、発光塗料もしくは蓄光塗料が塗布されている、
ことを特徴とする請求項１〜請求項４の何れかに記載のキーホルダー。